(57)【要約】【課題】戻し部材の傾斜面の勾配を緩くでき、かつ戻し部材の固定のための空間を小さくする。【解決手段】スピニングリールのリール本体２は、筐体部２ａと、蓋体部２ｂと、戻し部材２８とを備えている。筐体部２ａは、円筒部２７と、円筒部２７の後部に配置された略半円形の第１フランジ部２４ａを有している。蓋体部２ｂは、円筒部２７の後面に隙間２７ｂをあけて配置された略半円形の第２フランジ部２４ｂを有し、筐体部２ａに固定可能である。戻し部材２８は、隙間２７ｂに着脱自在に装着可能である。戻し部材２８は、隙間２７ｂに配置可能な板状の配置部２８ａと、配置部２８ａから第１フランジ部２４ａに対向可能な位置まで形成された突出部２８ｂとを有し、突出部２８ｂは、配置部２８ａから前方に徐々に突出するように形成されベール反転機構に接触可能な第１傾斜面２８ｃを有している。【選択図】図３
2008306988.tif 000002
【特許請求の範囲】
【請求項１】
糸巻取姿勢と糸開放姿勢とに揺動自在なベールアームを前記糸開放姿勢から糸巻取姿勢に戻すベール反転機構を有するロータが回転自在に支持されるとともに、スプールが前後移動自在に支持されるスピニングリールのリール本体であって、
前部に前記ロータの回転軸芯と同芯に設けられた円筒部と、前記円筒部の後部に前記円筒部と同芯に配置された略半円形の第１フランジ部と、前記第１フランジ部の後方に形成された機構収納空間と、を有する筐体部と、
前記円筒部の後面に隙間をあけて配置されかつ前記第１フランジ部とで円形に形成された略半円形の第２フランジ部を有し、前記機構収納空間を覆うように前記筐体部に固定可能な蓋体部と、
前記筐体部と蓋体部とのいずれか一方に設けられた竿取付脚部と、
前記ベールアームを前記糸開放姿勢から前記糸巻取姿勢に戻すために、前記円筒部と前記第２フランジ部との隙間に着脱自在に装着可能な戻し部材と、を備え、
前記戻し部材は、前記円筒部と前記第２フランジ部との隙間に配置可能な板状の配置部と、前記配置部から前記ロータの糸巻取回転方向に沿って前記第１フランジ部に対向可能な位置まで突出して形成された突出部と、を有し、
前記突出部は、前記配置部から前方に徐々に突出するように形成され前記ベール反転機構に接触可能な第１傾斜面を有する、スピニングリールのリール本体。
【請求項２】
前記第１フランジ部は、前面に前記糸巻取回転方向に沿って形成され、前記第１傾斜面より勾配がきつく形成された第２傾斜面を有し、前記ベールアームを前記糸開放位置から前記糸巻取姿勢に戻すための戻し部をさらに有し、
前記突起部は、前記第２傾斜面に係合する第３傾斜面を前記第２傾斜面と対向する位置に有している、請求項１に記載のスピニングリールのリール本体。
【請求項３】
前記第２フランジ部には、内周側に切欠き部が形成され、
前記配置部は、前記第２フランジ部の前記切欠き部の縁部に係止される少なくとも一つの突起部を有し、前記第２フランジ部と前記円筒部とにより挟持される、請求項１又は２に記載のスピニングリールのリール本体。
【請求項４】
前記配置部は、前記円筒部及び前記第２フランジ部のいずれか一方に嵌合する少なくとも一つの嵌合部を有し、前記第２フランジ部と前記円筒部とにより挟持される、請求項１又は２に記載のスピニングリールのリール本体。
【請求項５】
前記配置部は、前記円筒部及び第２フランジ部のいずれか一方に形成された凹部に嵌合する前記嵌合部としての突起部を有する、請求項４に記載のスピニングリールのリール本体。
【請求項６】
前記配置部は、前記円筒部及び前記第２フランジ部のいずれか一方にねじ止め固定可能である、請求項１又は２に記載のスピニングリールのリール本体。
【発明の詳細な説明】
【技術分野】
【０００１】
本発明は、リール本体、特に、糸巻取姿勢と糸開放姿勢とに揺動自在なベールアームを糸開放姿勢から糸巻取姿勢に戻すベール反転機構を有するロータが回転自在に支持されるとともに、スプールが前後移動自在に支持されるスピニングリールのリール本体に関する。
【背景技術】
【０００２】
スピニングリールは、釣り竿に装着可能な竿取付脚部を有するリール本体と、リール本体に前後移動自在に装着された糸巻用のスプールと、リール本体に回転自在に装着され、スプールに釣り糸を巻き付けるロータと、を有している。リール本体は、ロータの回転機構等の各種の機構を装着する機構収納空間を有する筐体部と、機構収納空間を覆う蓋体部とを有している。
【０００３】
ロータには、糸巻取姿勢と糸開放姿勢とに揺動自在にベールアームが取り付けられている。ロータは、第１及び第２ロータアームを有しており、第１及び第２ロータアームの先端にベールアームが取り付けられている。ベールアームは、第１ロータアームの先端揺動自在に装着され釣り糸を案内するラインローラを先端に有する第１ベール支持部材と、第２ロータアームの先端に揺動自在に装着された第２ベール支持部材と、両ベール支持部材を連結するベールとを有している。このベールアームが糸開放姿勢に揺動したとき、ベールアームをロータの糸巻取方向の回転に連動して糸巻取姿勢に戻すベール反転機構が第１ロータアームに設けられている。リール本体には、ベール反転機構を動作させるための戻し部材が設けられている。ベール反転機構は、ベールアームと連動してリール本体と接離する方向に移動する移動部材を有しており、戻し部材は、ロータの糸巻取方向の回転に応じて移動部材をリール本体から離反する方向に押圧する傾斜面を有している。通常、蓋体部は、リールを前方から見て右側に配置され、ロータは、糸巻取時にリールを前方から見て時計回りに回転する。このため、傾斜面は、時計回りに徐々に前方に突出するように形成されている。
【０００４】
ベールアームを糸開放姿勢から糸巻取姿勢に反転させるタイミングは、ラインローラを有する第１ベール支持部材が釣り竿から遠ざかった位置、すなわち、筐体部と蓋体部との合わせ部の近くに第１ベール支持部材が配置されるときに設定されていることが多い。ベールアームの中で最も釣り竿を持つ手の指に近い位置に配置されるのは第１ベール支持部材である。このため、このようなタイミングでベールアームを反転させると、第１ベール支持部材が指から遠ざかる。この結果、ベールアームを反転させても釣り竿を持っている指に第１ベール支持部材が接触しにくくなり、安全性の面で好ましい。
【０００５】
このような理由で、戻し部材は、リール本体の竿取付脚部から可及的に離れた位置に設けられている。リール本体に設けられた戻し部材には、筐体部の前面に一体形成されているもの（たとえば、特許文献１参照）や、筐体部と別体で構成され、筐体部と蓋体部との間に固定されたもの（たとえば、特許文献２参照）が従来知られている。
【０００６】
一方、リール本体の前部に円筒部を設け、円筒部の前部にロータの逆転を防止するための逆転防止機構を装着可能なものがある（たとえば、特許文献３参照）。円筒部は、リール本体の筐体部に第１フランジ部の前方に一体で形成されている。第１フランジ部は、蓋体部の前部に形成された第２フランジ部とで円形となるように形成され、第２フランジ部とでロータの後面をカバーするために形成されている。第２フランジ部と円筒部の後面との間には、シール部材を装着するため等の僅かな隙間が形成されている。
【特許文献１】実開昭５３−３２１９１号公報
【特許文献２】特開２００１−２９９１６１号公報
【特許文献３】特開２００１−１０３８７９号公報
【発明の開示】
【発明が解決しようとする課題】
【０００７】
筐体部の前面に戻し部材を一体形成した従来の構成では、別体で形成する場合に比べて固定部分が不要になる。このため、固定のための空間や固定構造が不要になり、リール本体の構成が簡素になる。しかし、戻し部材は、安全性を考慮すると筐体部と蓋体部との合わせ部の近くに形成しなければならないので、筐体部だけで傾斜面を構成しなければならない。このため、傾斜面の勾配がきついものになり、ハンドルを回してベールアームを戻すのに必要な回転力、いわゆるリターン力が大きくなる。
【０００８】
また、筐体部の前面に戻し部材を一体形成した従来の構成では、釣りの種類やベールを制動するベール制動機構の有無等の仕様によっては、リターン力を変更したい場合がある。しかし、戻し部材の傾斜面の勾配を変更しようとすると、通常は型成形により製造される筐体部の金型を修正しなければならず、傾斜面の勾配を変更するのが困難である。
【０００９】
戻し部材を筐体部と蓋体部との間に別体で固定する従来の構成では、傾斜面を蓋体部側に形成できるので、傾斜面の勾配を緩やかに形成できる。しかし、移動部材が傾斜面を上るときに、固定部分に応力が集中し、固定部分の強度を維持するために固定部分に比較的大きな空間が必要になる。
【００１０】
本発明の課題は、スピニングリールのリール本体において、戻し部材の傾斜面の勾配を緩くでき、かつ戻し部材の固定のための空間を小さくできるようにすることにある。
【００１１】
本発明の別の課題は、戻し部を有するスピニングリールのリール本体において、戻し部材の傾斜面の勾配を容易に変更できるようにすることにある。
【課題を解決するための手段】
【００１２】
発明１に係るスピニングリールのリール本体は、糸巻取姿勢と糸開放姿勢とに揺動自在なベールアームを糸開放姿勢から糸巻取姿勢に戻すベール反転機構を有するロータが回転自在に支持されるとともに、スプールが前後移動自在に支持されるリール本体であって、筐体部と、蓋体部と、竿取付脚部と、戻し部材と、を備えている。筐体部は、前部にロータの回転軸芯と同芯に設けられた円筒部と、円筒部の後部に円筒部と同芯に配置された略半円形の第１フランジ部と、第１フランジ部の後方に形成された機構収納空間と、を有している。蓋体部は、円筒部の後面に隙間をあけて配置されかつ第１フランジ部とで円形に形成された略半円形の第２フランジ部を有し、機構収納空間を覆うように筐体部に固定可能なものである。竿取付脚部は、筐体部と蓋体部とのいずれか一方に設けられたものである。戻し部材は、ベールアームを糸開放姿勢から糸巻取姿勢に戻すために、第２フランジ部と円筒部との隙間に着脱自在に装着可能な部材である。戻し部材は、第２フランジ部の前面と円筒部の後面との隙間に配置可能な板状の配置部と、配置部からロータの糸巻取回転方向に沿って第１フランジ部に対向可能な位置まで突出して形成された突出部とを有し、突出部は、配置部から前方に徐々に突出するように形成されベール反転機構に接触可能な第１傾斜面を有している。
【００１３】
このスピニングリールのリール本体では、円筒部の後面と、それに対向して配置された蓋体部の第２フランジ部の前面との隙間に戻し部材の板状の配置部が装着され、ベール反転機構に接触可能な第１傾斜面が第１フランジ部と対向可能な位置まで形成された突出部に設けられている。ベールアームが糸開放姿勢にあるときにロータが糸巻取方向に回転すると、蓋体部の第２フランジ部から第１フランジ部に対向した位置まで延びる第１傾斜面にベール反転機構が接触してベールアームが糸巻取姿勢に戻る。ここでは、戻し部材の板状の配置部が第２フランジ部と円筒部との隙間に配置可能であるので、円筒部と第２フランジ部との隙間に板状の配置部を挿入することにより、戻し部材を円筒部と第２フランジ部とで挟持して固定したり、円筒部及び第２フランジ部のいずれかに係止して固定したりすることができる。この配置部は板状であるので、第１フランジ部に対向する突出部を設けても応力集中が生じにくくなり、戻し部材を固定するための空間を小さくできる。また、第２フランジ部に配置可能な配置部から突出部が形成されているので、第１傾斜面を筐体部だけではなく蓋体部側にも形成可能になる。このため、第１傾斜面の勾配を緩くすることができ、小さい力でベールアームを戻すことができる。
【００１４】
発明２に係るスピニングリールのリール本体は、発明１に記載のリール本体において、第１フランジ部は、前面に糸巻取回転方向に沿って形成され、第１傾斜面より勾配がきつく形成された第２傾斜面を有し、ベールアームを糸開放位置から糸巻取姿勢に戻すための戻し部をさらに有し、戻し部材は、第２傾斜面に係合する第３傾斜面を第２傾斜面と対向する位置に有している。この場合には、すでに第２傾斜面を有する戻し部が形成されたリール本体に戻し部材を装着することにより、戻し部材の第３傾斜面が戻し部の第２傾斜面に係合して戻し部が戻し部材により覆われる。これにより、ベール反転機構が接触する接触傾斜面が第２傾斜面ではなく、それより勾配が緩い第１傾斜面になる。このため、戻し部が一体形成されたリール本体であっても、戻し部材を装着することにより、接触傾斜面の勾配を緩くすることができ、接触傾斜面の勾配を変更可能になる。
【００１５】
発明３に係るスピニングリールのリール本体は、発明１又は２に記載のリール本体において、配置部は、第２フランジ部の切欠き部の縁部に係止される少なくとも一つの突起部を有し、第２フランジ部と円筒部とにより挟持される。この場合には、切欠き部の縁部により係止される少なくとも一つの突起部を戻し部材が有しているので、切欠き部の縁部に戻し部材を係止した状態で蓋体部を筐体部に固定することにより、円筒部と第２フランジ部との隙間に戻し部材が挟持され、工具を用いることなく戻し部材を容易に固定できる。
【００１６】
なお、ここで言う挟持とは、戻し部材が円筒部の後面と第２フランジ部の前面との隙間に配置されている状態を言い、戻し部材の配置部が円筒部と第２フランジ部との両方に接触して挟まれている状態だけではなく、円筒部と第２フランジ部との隙間に配置部の板状部分が配置されかつ切欠き部に突起部が係止され、両者のいずれか一方に配置部が接触している状態でもよい。
【００１７】
発明４に係るスピニングリールのリール本体は、発明１又は２に記載のリール本体において、配置部は、円筒部及び第２フランジ部のいずれか一方に嵌合する少なくとも一つの嵌合部を有し、第２フランジ部と円筒部とにより挟持される。この場合には、円筒部又は第２フランジ部に嵌合する嵌合部を戻し部材が有しているので、円筒部の後面又は第２フランジ部に配置部の嵌合部を嵌合させた状態で蓋体部を筐体部に固定することにより、円筒部と第２フランジ部との期間に戻し部材が挟持され、工具を用いることなく戻し部材を容易に固定できる。
【００１８】
なお、ここで言う挟持とは、戻し部材が円筒部の後面と第２フランジ部の前面との隙間に配置されている状態を言い、戻し部材の配置部が円筒部と第２フランジ部との両方に接触して挟まれている状態だけではなく、円筒部と第２フランジ部との隙間に配置部の板状部分が配置されかつ嵌合部が円筒部又は第２フランジ部に嵌合し、両者のいずれか一方に配置部が接触している状態でもよい。
【００１９】
発明５に係るスピニングリールのリール本体は、発明４に記載のリール本体において、配置部は、円筒部及び第２フランジ部のいずれか一方に形成された凹部に嵌合する嵌合部としての突起部を有する、この場合には、円筒部側が凹部である場合には、凹部を円筒部の前側から貫通して形成することにより、複雑な形状の筐体部を型成形により製造しても凹部を容易に形成できるとともに、戻し部材は、筐体部に比べて単純な形状になるので、戻し部材を型成形で製造する場合に突起部を容易に形成できる。また、第２フランジ部側が凹部である場合は、第２フランジ部の前面から凹部を形成すればよいのでの凹部の形成が容易であるとともに、戻し部材は、筐体部に比べて単純な形状になるので、戻し部材を型成形で製造する場合に突起部を容易に形成できる。
【００２０】
発明６に係るスピニングリールのリール本体は、発明１又は２に記載のリール本体において、配置部は、円筒部及び第２フランジ部のいずれか一方にねじ止め固定可能である。この場合には、戻し部材を円筒部の後面又は第２フランジ部の前面にねじ止め固定できるので、戻し部材をがたつきなく固定できる。
【発明の効果】
【００２１】
本発明によれば、戻し部材の板状の配置部が第２フランジ部と円筒部との隙間に配置可能であるので、円筒部と第２フランジ部との隙間に板状の配置部を挿入することにより、戻し部材を円筒部と第２フランジ部とで挟持して固定したり、円筒部及び第２フランジ部のいずれかに係止して固定したりすることができる。この配置部は板状であるため、第１フランジ部に対向する突出部を設けても応力集中が生じにくくなり、戻し部材を固定するための空間を小さくできる。また、第２フランジ部と円筒部との隙間に配置可能な配置部に形成された突出部に第１傾斜面を形成できるので、第１傾斜面を筐体部だけではなく蓋体部側にも形成可能になる。このため、第１傾斜面の勾配を緩くすることができ、小さい力でベールアームを戻すことができる。
【００２２】
本発明の別の発明によれば、すでに第２傾斜面を有する戻し部が形成されたリール本体に戻し部材を装着することにより、戻し部材の第３傾斜面が戻し部の第２傾斜面に係合して戻し部が戻し部材により覆われる。これにより、ベール反転機構が接触する傾斜面が第２傾斜面ではなく、それより勾配が緩い第１傾斜面になる。このため、戻し部が一体形成されたリール本体であっても、戻し部材を装着することにより、接触傾斜面の傾斜を緩くすることができ、接触傾斜面の勾配を変更可能になる。
【発明を実施するための最良の形態】
【００２３】
＜スピニングリールの概略構成＞
本発明の一実施形態を採用したスピニングリールは、図１及び図２に示すように、釣竿に装着されハンドル１を回転自在に支持するリール本体２と、ロータ３と、スプール４と、スプール軸１５と、ロータ駆動機構５と、オシレーティング機構６と、ドラグ機構７とを備えている。ロータ３は、ベールアーム４４を有し、リール本体２の前部に前後軸回りに回転自在に装着されている。スプール４は、ロータ３に案内された釣り糸が外周面に巻き付けられるものであり、ロータ３の前部に前後移動自在に配置されている。スプール軸１５は、リール本体２に前後軸方向に移動自在に装着され先端にスプール４がドラグ機構７を介して装着されたものである。ロータ駆動機構５は、ハンドル１の回転をロータ３に伝達するものである。オシレーティング機構６は、ロータ駆動機構５の回転に応じてスプール軸１５を前後往復移動させて、釣り糸をスプール４に均一に巻き取るための機構である。なお、ハンドル１は、図１に示すリール本体２の左側と、図２に示すリール本体２の右側とのいずれにも装着可能である。
【００２４】
＜リール本体２の構成＞
リール本体２は、図１から図４に示すように、ロータ３やスプール４を支持する筐体部２ａと、筐体部２ａに複数本（たとえば、３本）の固定ボルト３８により着脱自在に固定された蓋体部２ｂと、蓋体部２ｂに設けられた概ねＴ字状の竿取付脚部２ｃと、蓋体部２ｂの前面に配置された戻し部材２８と、を主に有している。筐体部２ａ及び蓋体部２ｂの後端部は、筐体部２ａに固定されたカバー部材２ｄにより覆われている。リール本体２の前部には、筐体部２ａ及び蓋体部２ｂに各別に一体形成された第１フランジ部２４ａ及び第２フランジ部２４ｂを有する円形のフランジ部２ｅが形成されている。
【００２５】
筐体部２ａは、たとえば、合成樹脂製又はアルミニウム合金やマグネシウム合金等の軽金属製であり、鍛造や型成形により製造された部材である。筐体部２ａは、図２及び図３に示すように、側部に形成された開口２５と、内部に形成された機構収納空間２６と、ロータ３のリール本体２側に形成された円形の凹陥部３ａ内に配置されるように形成されロータ３の回転軸である後述するピニオンギア１２を回転自在に支持する円筒部２７と、を有している。筐体部２ａは、上部（釣り竿装着側）ではリール本体２の略半分弱の厚みであるが、下部では、それより蓋体部２ｂ側に突出して略半分強の厚みを有しており、上部より厚い厚みに形成されている。したがって、蓋体部２ｂの上部は、リール本体２の厚みの略半分強の厚みで形成されており、下部では筐体部２ａの突出に伴って略半分弱の厚みになっている。
【００２６】
機構収納空間２６には、図２に示すように、ロータ駆動機構５と、オシレーティング機構６とが設けられている。円筒部２７は、ピニオンギア１２と同芯に設けられており、その後部に円筒部２７と同芯に形成された略半円形の第１フランジ部２４ａが設けられている。第１フランジ部２４ａより蓋体部２ｂ側に突出した円筒部２７の後面２７ａと第２フランジ部２４ｂの前面２４ｃとの間には、図２及び図７に示すように０．５〜３ｍｍ程度の隙間２７ｂが形成されている。なお、図７では、二点鎖線で示した部分と円筒部２７の後面２７ａとの間が隙間２７ｂであり、二点鎖線で示した部分から後方（図７右側）が第１フランジ部２４ａの厚みである。
【００２７】
円筒部２７の中心には、ピニオンギア１２を支持する軸受が装着される支持孔２７ｃが形成されている。円筒部２７の外周面には、ロータ３を制動するための制動部材６５を装着するための環状の装着溝２７ｄが形成されている。円筒部２７の前面には、後述する逆転防止機構４９のワンウェイクラッチ５２がねじ止め固定されている。
【００２８】
蓋体部２ｂは、たとえば、合成樹脂製又はアルミニウム合金やマグネシウム合金等の軽金属製であり、鍛造や型成形により製造された部材である。蓋体部２ｂは、図３に示すように、筐体部２ａの開口２５を覆いかつ内部に空間が形成され得るように第２フランジ部２４ｂが一体形成されている。蓋体部２ｂには、竿取付脚部２ｃが一体形成されている。
【００２９】
フランジ部２ｅは、図３〜図５に示すように、円板状に形成されており、ロータ３の後部に形成された円形の凹陥部３ａ（図１参照）を塞ぐように凹陥部３ａの端面と略同一面に配置されている。フランジ部２ｅは、前述したように筐体部２ａに一体形成された略半円形の第１フランジ部２４ａと、蓋体部２ｂに一体形成され第１フランジ部２４ａとで円形となるような半円形の第２フランジ部２４ｂとを有している。第１フランジ部２４ａの下部には、後述するベール反転機構１８に接触可能な戻し部２９が一体形成されている。戻し部２９は、前方に山形に突出して形成されており、後述する戻し部材２８の第３傾斜面２８ｉに係合する第２傾斜面２９ａをロータ３の糸巻取回転方向の上流側に有するとともに、下流側に第２傾斜面２９ａより勾配がきつい第４傾斜面２９ｂを有し、その間に平坦面２９ｃを有している。なお、戻し部２９は、戻し部材２８を装着しない状態であっても、ベール反転機構１８に接触可能である。ここでは、筐体部２ａの下部の厚みをリール本体２の厚みの半分強の厚みにしているので、戻し部２９を第１フランジ部２４ａに一体形成しても、そのロータ３の糸巻取方向上流側の第２傾斜面２９ａの突出開始位置をリール本体２の半分の位置より上流側に配置できる。
【００３０】
第２フランジ部２４ｂは、第１フランジ部２４ａと同じ厚みで形成されており、その内周側には、横縁部２４ｅ及び縦縁部２４ｆを有する切欠き部２４ｄが形成されている。切欠き部２４ｄは、ピニオンギア１２等を配置しやすくするために設けられている。
【００３１】
なお、図３に示すように、筐体部２ａ及び蓋体部２ｂの側面には、後述するマスターギア軸１１ａの両端を回転自在に支持する軸支持孔２２ａ，２２ｂを各別に有しており、ハンドル１の装着側と逆側の軸支持孔は、防水キャップ３５がねじ込まれて塞がれている。
【００３２】
戻し部材２８は図３から図６に示すように、円筒部２７の後面２７ａと、第２フランジ部２４ｂの前面２４ｃとの隙間に着脱自在に装着されている。戻し部材２８は、ベール反転機構１８に接触してベール反転機構１８により後述するベールアーム４４を糸開放姿勢から糸巻取姿勢に戻すために設けられている。戻し部材２８は、第１フランジ部２４ａに形成された戻し部２９に係合する。
【００３３】
戻し部材２８は、第２フランジ部２４ｂの前面と円筒部２７の後面２７ａとの隙間２７ｂに配置可能な板状の配置部２８ａと、配置部２８ａからロータ３の糸巻取回転方向に沿って第１フランジ部２４ａに対向可能な位置まで形成された突出部２８ｂと、を有している。
【００３４】
配置部２８ａは、概ね第２フランジ２４ｂと同様な板状の部分であり、第２フランジ部２４ｂより少し小径の略半円形状に形成されている。配置部２８ａは、第２フランジ部２４ｂの前面と円筒部２７の後面２７ａとの隙間２７ｂと同じかそれよりやや薄い厚みを有している。配置部２８ａの内周側には、切欠き部２４ｄよりやや内側に張り出した切欠き部２８ｄが形成されている。切欠き部２８ｄは、切欠き部２４ｄの横縁部２４ｅ及び縦縁部２４ｆよりそれぞれ内側に張り出した横縁部２８ｅ及び縦縁部２８ｆを有しており、その後面には、切欠き部２４ｄの横縁部２４ｅ及び縦縁部２４ｆにそれぞれ係止される複数（たとえば２つ）の突起部２８ｇ，２８ｈが形成されている。配置部２８ａの切欠き部２８ｄの両側の直線的な内端面２８ｊ，２８ｋは、円筒部２７と第２フランジ部２４ｂとの隙間２７ｂの端部に接触可能である。このような突起部２８ｇ，２８ｈを切欠き部２４ｄに係止することにより、戻し部材２８の配置部２８ａを隙間２７ｂよりわずかに薄く形成しても、戻し部材２８の内端面２８ｊ，２８ｋを隙間２７ｂの端面に接触させることにより戻し部材２８ががたつきにくくなる。
【００３５】
突出部２８ｂは、配置部２８ａの外周部から円筒部２７の外周面より大きな円弧で戻し部２９に係合するように形成されている。突出部２８ｂの第１傾斜面２８ｃは、配置部２８ａから前方に徐々に突出するように形成され、戻し部２９の第２傾斜面２９ａを覆うように第１フランジ部２４ａの前面に向かって延びている。突出部２８ｂの第１フランジ部２４ａと後退する後面には、第２傾斜面２９ａに係合して接触する第３傾斜面２８ｉが形成されている。これにより、第３傾斜面２８ｉが第２傾斜面２９ａに接触して突出部２８ｂが戻し部２９により支持される。このため、ベール反転機構１８が第１傾斜面２８ｃに接触して押圧しても第１傾斜面２８ｃががたつかなくなる。
【００３６】
カバー部材２ｄは、たとえばＡＢＳ樹脂などの合成樹脂にめっき処理したりステンレス合金を用いたりして傷つきにくくしたものであり、リール本体２の最も傷つきやすい部分を保護するものである。カバー部材２ｄは下端部がねじ３７により筐体部２ａに固定され、上端部は、筐体部２ａに弾性的に係止されている。
【００３７】
ロータ駆動機構５は、図２に示すように、ハンドル１が固定されたハンドル軸１０とともに回転するフェースギアからなるマスターギア１１と、このマスターギア１１に噛み合うピニオンギア１２とを有している。マスターギア１１は、ハンドル軸１０が一体回転可能に連結されたマスターギア軸１１ａを有している。マスターギア軸１１ａはマスターギアと一体又は別体で設けられている。
【００３８】
＜ロータ３の構成＞
ロータ３の回転軸であるピニオンギア１２は筒状に形成されており、その前部１２ａはロータ３の中心部を貫通しており、ナット１３によりロータ３と固定されている。ピニオンギア１２は、その軸方向の中間部と後端部とが、円筒部２７に装着された軸受１４ａと、筐体部２ａに装着された軸受１４ｂとを介してそれぞれリール本体２に回転自在に支持されている。ピニオンギア１２の内周側には、スプール軸１５が貫通している。
【００３９】
オシレーティング機構６は、スプール４の中心部にドラグ機構７を介して連結されたスプール軸１５を前後方向に移動させてスプール４を同方向に移動させるための機構である。
【００４０】
ロータ３は、図２に示すように、ロータ本体１６と、ロータ本体１６の先端に糸開放姿勢と糸巻取姿勢とに揺動自在に装着されたベールアーム１７と、ベールアーム１７を糸開放姿勢から糸巻取姿勢に戻すためにロータ本体１６に装着されたベール反転機構１８とを有している。
【００４１】
ロータ本体１６は、筐体部２ａにスプール軸１５回りに回転自在に装着された円筒部３０と、円筒部３０の側方に互いに対向して設けられた第１及び第２ロータアーム３１、３２とを有している。円筒部３０と両ロータアーム３１、３２とは、たとえばアルミニウム合金製であり一体成形されている。
【００４２】
円筒部３０の前部には前壁３３が形成されており、前壁３３の中央部にはボス部３３ａが形成されている。ボス部３３ａの中心部には貫通孔が形成されており、この貫通孔をピニオンギアの前部１２ａ及びスプール軸１５が貫通している。前壁３３の前部にロータ３の固定用のナット１３が配置されている。
【００４３】
第１及び第２ロータアーム３１、３２は、図２に示すように、円筒部３０の対向する後部外周面にからそれぞれ外方に凸に湾曲しつつ前方に延びている。第１ロータアーム３１の先端外周側には、ベールアーム１７を構成する第１ベール支持部材４０が揺動自在に装着されている。第１ロータアーム３１の内部には、ベール反転機構１８が装着されている。第２ロータアーム３２の先端外周側には、第２ベール支持部材４２が揺動自在に装着されている。
【００４４】
第１ベール支持部材４０は、第１ロータアーム３１の先端にねじ込まれた取付ピン３９により第１ロータアーム３１に揺動自在に取り付けられる。この取付ピン３９は引っ掛かりが少ない六角孔付きボルトからなり、その頭部に釣り糸が引っ掛かりにくくなっている。
【００４５】
第１ベール支持部材４０の先端には、図２に示すように、釣り糸をスプール４に案内するためのラインローラ４１と、ラインローラ４１を挟んで第１ベール支持部材４０に固定された固定軸カバー４７とが装着されている。ラインローラ４１は、第１ベール支持部材４０の先端に回転自在に装着されている。固定軸カバー４７は、先端がとがった変形円錐形状である。固定軸カバー４７の先端部と第２ベール支持部材４２との間には線材を略Ｕ字状に湾曲させた形状のベール４３が固定されている。これらの第１及び第２ベール支持部材４０、４２、ラインローラ４１、ベール４３及び固定軸カバー４７により、釣り糸をスプール４に案内するベールアーム１７が構成される。ベールアーム１７は、図２に示す糸巻取姿勢と、糸巻取姿勢から反転した糸開放姿勢との間で揺動自在である。
【００４６】
＜ベール反転機構１８の構成＞
ベール反転機構１８は、図７に示すように、第１ロータアーム３１の内部に配置されている。ベール反転機構１８は、ベールアーム１７を糸開放姿勢から糸巻取姿勢にロータ３の回転に連動して復帰させるとともに、両姿勢でその状態を保持するために設けられている。
【００４７】
ベール反転機構１８は、図７に示すように、第１ロータアーム３１に形成された収納空間４８内で第１ロータアーム３１に揺動自在に装着されたトグルばね機構５０と、収納空間４８内に略前後移動自在に装着された移動部材５１と、ロータ３を制動するための制動部材６５を有するロータ制動機構５４と、を有している。この移動部材５１が戻し部材２８に接触する。
【００４８】
トグルばね機構５０は、ベールアーム１７が糸巻取姿勢となる第１位置と糸開放姿勢となる第２位置とを取り得るように第１ロータアーム３１内に配置され、ベールアーム１７を糸巻取姿勢と糸開放姿勢とに保持するための機構である。トグルばね機構５０は、一端が第１ベール支持部材４０に係止され、他端が第１ロータアーム３１に沿って延びるロッド５５と、ロッド５５を進出側に付勢するコイルばね５７とを有している。ロッド５５は、先端に第１ベール支持部材４０の係合穴４０ａに係止されるように第１ベール支持部材４０に向けて折れ曲がった係止部５５ａを有している。また、ロッド５５は、中間部にコイルばね５７の先端部を係止するための係止突起５５ｂを有している。係止突起５５ｂには、コイルばね５７の先端が当接するワッシャ５６が装着されており、これにより、コイルばね５７の先端部からロッド５５に力が均一に伝達される。
【００４９】
移動部材５１は、たとえば、ステンレス合金などの金属製の線材の両端を９０度異なる方向に折り曲げて形成された部材である。移動部材５１は、図７に二点鎖線で示す第１位置と実線で示す第２位置とに、第１ロータアーム３１に略前後移動自在に装着されている。移動部材５１は、図７に示すように、その先端部５１ａが外周側に折り曲げられ、第１ベール支持部材４０に形成された略扇形の係合凹溝４０ｂに係止されている。中間部５１ｂは、ロッド５５より径方向内側で第１ロータアーム３１に沿って延びている。
【００５０】
後端部５１ｃは、第１ロータアーム３１に前後方向に沿って形成されたガイド溝３６を貫通し、ロータ制動機構５４を構成する制動部材６５に僅かに重なり合う位置まで内方に突出している。ガイド溝３６の幅は、移動部材５１の直径とほぼ同じ寸法である。このため、移動部材５１の中間部５１ｂの径方向内側は、ベールアーム１７の揺動に連動してガイド溝３６に沿って前後に案内される。中間部５１ｂと後端部５１ｃとの屈曲部分の外周側は、第１ロータアーム３１内に装着された案内部材６７により前後方向及び径方向に案内されている。案内部材６７には、後端部５１ｃがはまりこむように湾曲した凹溝６７ａが内部に形成されている。
【００５１】
案内部材６７には、コイルばねからなる押圧ばね６８を装着可能なたとえば円柱状の装着穴６７ｂが凹溝６７ａに開口して形成されている。押圧ばね６８は、圧縮状態で凹溝６７ａに装着されており、移動部材５１の中間部５１ｂを押圧することで後端部５１ｃを制動部材６５に向けて付勢している。押圧ばね６８の先端には、移動部材５１の中間部５１ｂの外周面に係合するように半円弧状の凹部６９ａが形成された押圧部材６９が装着されている。押圧部材６９は、移動部材５１の中間部５１ｂを前後移動自在にし、かつ押圧ばね６８の付勢力を中間部５１ｂに効率よく伝達するために設けられている。
【００５２】
移動部材５１の後端部５１ｃが接触する戻し部２９の平坦部２９ｃの突出量は、第１傾斜面２８ｃに後端部５１ｃが接触した移動部材５１がベールアーム１７を糸巻取姿勢に向けて押圧したときにトグルばね機構５０の死点を超えるように設定されている。
【００５３】
ここで、ベール反転機構１８の移動部材５１を第２位置から第１位置に戻すための戻し部材２８を戻し部２９に係合して装着し、第１傾斜面２８ａを蓋体部２ｂ側にも配置している。このため、移動部材５１に接触する傾斜面が２傾斜面２９ａではなく、それより勾配が緩い第１傾斜面２８ｃになる。しかも、第１傾斜面２８ｃは、蓋体部２ｂ側にも配置されているので、勾配が緩やかな第１傾斜面２８ｃに移動部材５１が滑らかに案内される。したがって、ハンドル１の糸巻取方向の回転の際にハンドルに作用するリターン力が小さくなり、小さい力でベールアーム１７を糸巻取位置に戻すことができる。
【００５４】
ロータ制動機構５４は、糸開放姿勢にベールアーム１７が揺動したときロータ３を制動するものであり、移動部材５１と、円筒部２７の基端部側に形成された装着溝２７ｄに装着された制動部材６５とを有している。すなわち、移動部材５１は、ベール反転機構１８を構成するとともに、ロータ制動機構５４も構成する。
【００５５】
制動部材６５は、ベールアーム１７が糸開放姿勢にあるとき、ロータ３の回転を制動するために設けられている。制動部材６５は、たとえば、合成樹脂製の部材からなる略半円形状の第１制動部材６５ａ及び第２制動部材６５ｂの２つの部材により構成されている。第１制動部材６５ａ及び第２制動部材６５ｂは、外周に形成された環状溝６５ｅに装着されたばね部材６６により、円形状の装着溝２７ｄに圧接されている。制動部材６５は、装着溝２７ｄに回転可能に摩擦係合する摩擦部６５ｃと、移動部材５１の後端部５１ｃが係合する複数の係合部６５ｄとを有している。係合部６５ｄは、制動部材６５の外周に間隔をあけて配置され、後端部５１ｃが係合する係合溝である。また、制動部材６５には、係合部６５ｄに向けて傾斜するテーパ部６５ｆが複数箇所に山型に形成されている。テーパ部６５ｆは、後端部５１ｃを係合部６５ｄに案内するために形成された傾斜面である。
【００５６】
ばね部材６６は、制動部材６５の外周に形成された環状溝６５ｅに装着される円弧状の針金状部材であり、内側方向に付勢する弾性力を有している。ばね部材６６は、制動部材６５に装着するために両端部の間が開口しており、環状溝６５ｅから抜け止めするために一方の端部が径方向に折れ曲がって係止されている。
【００５７】
このような構成のベール反転機構１８では、トグルばね機構５０は、糸巻取姿勢に対応する第１位置と、糸開放姿勢に対応する第２位置とを取ることが可能である。また、移動部材５１は、糸巻取姿勢に対応する第１位置と、糸開放姿勢に対応する第２位置とに後端部５１ｃがガイド溝３６に案内されて前後移動することができる。第２位置では、移動部材５１の後端部５１ｃが制動部材６５の係合部６５ｄに係合する。このとき、ロータ制動機構５４では、ロータ３とともに制動部材６５が回転すると、摩擦部６５ｃは装着溝２７ｄと摩擦係合しているので、ロータ３が制動される。
【００５８】
また、第２位置でハンドル１の操作によりロータ３が糸巻取方向に回転すると、移動部材５１の後端部５１ｃが戻し部材２８の第１傾斜面２８ｃに接触し、移動部材５１が第１位置に向けて前方に押圧され、トグルばね機構５０の死点を超えた時点でベールアーム１７は、糸巻取姿勢に復帰する。
【００５９】
ロータ３の円筒部２７の内部には、図２に示すように、ロータ３の逆転を禁止、解除するための逆転防止機構４９が配置されている。逆転防止機構４９をローラ型のワンウェイクラッチ５２を有しており、ワンウェイクラッチ５２を、筐体部２ａの下部に配置された切換レバー５３の操作により、作用状態と非作用状態とに切り換えることにより、ロータ３の逆転を禁止、解除する。
【００６０】
スプール４は、ロータ３の第１ロータアーム３１と第２ロータアーム３２との間に配置されており、スプール軸１５の先端にドラグ機構７を介して装着されている。スプール４は、外周に釣り糸が巻かれる糸巻胴部４ａと、糸巻胴部４ａの後部に一体で形成されたスカート部４ｂと、糸巻胴部４ａの前端に一体で形成されたフランジ部４ｃとを有している。スカート部４ｂは、ロータ３の円筒部３０の外周側に配置される。
【００６１】
＜リールの操作及び動作＞
キャスティング時には逆転防止機構４９によりロータ３を逆転禁止状態にして手でベールアームを持ってベールアーム１７を糸開放姿勢に反転させる。ベールアーム１７を糸開放姿勢に反転させると、第１ベール支持部材４０及び第２ベール支持部材４２は後方側に倒れ、ベール反転機構１８は、第２位置に配置される。ベールアーム１７が糸開放姿勢に倒れた状態では、スプール４からの釣り糸を容易に繰り出すことが可能である。
【００６２】
この糸巻取姿勢から糸開放姿勢への揺動において、トグルばね機構５０では、第１ベール支持部材４０の回転によってロッド５５が徐々に退入しつつ反時計方向に揺動して第２位置にいたる。このとき、死点を超えるまでは退入する。死点を超えると、ロッド５５がコイルばね５７の付勢力により進出してベールアーム１７を糸開放姿勢側に切り換えるとともにその姿勢で保持する。
【００６３】
ベールアーム１７が糸開放姿勢に揺動すると、この揺動に伴って移動部材５１の後端部５１ｃは制動部材６５の係合部６５ｄに係合する。そして、ロータ３とともに制動部材６５が回転すると、摩擦部６５ｃは装着溝２７ｄと摩擦係合しているので、ロータ３が制動される。
【００６４】
この状態で釣竿を握る手の人差し指で釣り糸を引っ掛けながら釣竿をキャスティングする。すると釣り糸は仕掛けの重さにより勢いよく放出される。
【００６５】
キャスティング後に、ベールアーム１７を糸開放姿勢に維持したままの状態でハンドル１を糸巻取方向に回転させると、ロータ駆動機構５によりロータ３が制動部材６５とともに糸巻取方向（図４及び図５の矢印方向）に回転する。ロータ３が糸巻取方向に回転すると、ベールアーム１７がベール反転機構１８により糸巻取姿勢に復帰する。このとき、前述したように、戻し部材２８を円筒部２７の後面２７ａと第２フランジ部２４ｂの前面２４ｃとの隙間２７ｂに装着し、第１傾斜面２８ｃを戻し部２９の第２傾斜面２９ａを覆うように配置したので、移動部材５１の後端部５１ｃが傾斜面に接触する位置が戻し部材２８を設けない場合に比べて蓋体部２ｂ側に移動する。このため、接触する第１傾斜面２８ｃの勾配が緩くなるので、小さい力でベールアームを戻すことができ、ハンドル１を回す際の違和感が減少する。
【００６６】
しかも、戻し部材２８の板状の配置部２８ａが第２フランジ部２４ｂと円筒部２７との隙間２７ａに配置可能であるので、円筒部２７と第２フランジ部との隙間２７ｂに板状の配置部を挿入することにより、戻し部材２８を円筒部と第２フランジ部２４ｂとで挟持して固定することができる。この配置部２８ａは板状であるため、応力集中が生じにくくなり、戻し部材２８を固定するための空間を小さくできる。
【００６７】
また、すでに第２傾斜面２９ａを有する戻し部２９が形成されたリール本体２に戻し部材２８を装着することにより、戻し部材２８の第３傾斜面２８ｉが戻し部２９の第２傾斜面２９ａに係合して戻し部２９が戻し部材２８により覆われる。これにより、ベール反転機構１８の移動部材５１が接触する傾斜面が第２傾斜面２９ａではなく、それより勾配が緩い第１傾斜面２８ｃになる。このため、戻し部２９が一体形成されたリール本体２であっても、戻し部材２８を装着することにより、移動部材５１が接触する傾斜面が第２傾斜面２９ａではなく、第１傾斜面２８ｃとなり、接触する傾斜面の勾配が緩くなり、傾斜面の勾配を変更可能になる。
【００６８】
しかも、筐体部や蓋体部と別体の戻し部材を後から装着するだけで移動部材が接触する傾斜面を変更できるので、戻し部を有する既存のリール本体に後から戻し部材を追加することにより、傾斜面の勾配を変更することができる。
【００６９】
なお、この実施形態では、機構収納空間２６にロータ駆動機構５やオシレーティング機構６などの機構の収納を完了し、蓋体部２ｂを筐体部２ａに固定する前に戻し部材２８を装着する。戻し部材２８は、第２フランジ部２４ｂの切欠き部２４ｄの横縁部２４ｅ及び縦縁部２４ｆに突起部２８ｇ，２８ｈを係止した状態で第２フランジ部２４ｂに装着され、この状態で蓋体部２ｂを筐体部２ａから挿入された３本の固定ボルト３８により固定する。これにより、戻し部材２８が、第２フランジ部２４ｂの前面２４ｃと円筒部２７の後面２７ａとの隙間２７ｂに着脱自在に装着される。
【００７０】
また、第１傾斜面２８ｃの勾配を変化させた複数種の戻し部材を用意すれば、リールの機種や大きさに応じて、傾斜面の角度を変更できるようになる。
【００７１】
〔他の実施形態〕
（ａ）  前記実施形態では、蓋体部２ｂに竿取付脚部２ｃが一体成形されていたが、筐体部２ｂに竿取付脚部２ｃを一体成形してもよい。
【００７２】
（ｂ）  前記実施形態では、第２フランジ部２４ｂの切欠き部２４ｄに戻し部材２８の後面に突出して形成された突起部２８ｇ，２８ｈを係止させたが、本発明はこのような構造に限定されない。たとえば、図８に示すように、戻し部材１２８の配置部１２８ａの前面に、少なくとも一つ（たとえば２つ）の円柱状の突起部（嵌合部の一例）１２８ｇ，１２８ｈを形成し、円筒部１２７の後面１２７ａに形成された凹部１２７ｅに嵌合するように構成してもよい。
【００７３】
この場合、突起部を戻し部材１２８の後面に形成して第２フランジ部に形成された凹部に嵌合するように構成してもよい。また、突起部が円柱状ではなく、非円形断面のものであれば、平面的な位置決めが可能であるので、突起部及び凹部は一つでもよい。さらに円柱状の突起部であっても、戻し部材の内側端１２７ｊ，１２７ｋが隙間１２７ｂの端面に接触して位置決めされる場合は、回り止めする必要がないので、一つであってもよい。
【００７４】
戻し部材１２８に突起部１２８ｇ，１２８ｈを設ける場合は、蓋体部を筐体部に固定する前に、円筒部１２７に戻し部材１２８を後方から装着しておき、その後に蓋体部を筐体部にねじ止め固定すればよい。なお、以降の説明において、説明されていない部材についての構成及び動作は前記実施形態と同様なため説明を省略する。
【００７５】
（ｃ）前記実施形態では、戻し部材を第１フランジ部又は円筒部に係止又は嵌合するように構成したが、図９に示すように、戻し部材２２８を円筒部２２７の後面２２７ａに皿ビス等のねじ部材２３４によりねじ止め固定するようにしてもよい。戻し部材２２８の配置部２２８ａの後面には、ねじ部材２３４が係合する少なくとも一つ（たとえば２つ）のテーパ座繰り孔２２８ｇ，２２８ｈが間隔を隔てて形成されている。この場合、円筒部２２７にねじ孔２２７ｅを形成してもよいが、タッピングビスを用いる場合は、ねじ孔ではなく単なる孔であってもよい。また、円筒部２２７ではなく、第２フランジ部側にねじ孔又は孔を形成し、戻し部材の前面側からねじ部材により第２フランジ部に固定するようにしてもよい。さらに、戻し部材２２８の内側端２２８ｊ，２２８ｋが隙間２２７ｂの端面に接触して位置決めされる場合は、回り止めする必要がないので、ねじ部材は一つであってもよい。
【００７６】
戻し部材２２８を円筒部２２７にねじ止め固定する場合は、蓋体部を筐体部に固定する前に、円筒部２２７に戻し部材２２８をねじ止めしておき、その後に蓋体部を筐体部にねじ止め固定すればよい。
【００７７】
（ｄ）前記実施形態では、第１フランジ部に戻し部を有する場合を例に本発明を説明したが、第１フランジ部に戻し部がない場合には、戻し部に相当する部分を戻し部材に一体形成してもよい。図１０及び図１１において、戻し部材３２８は、蓋体部３０２ｂの第２フランジ部３２４ａと円筒部３２７との隙間３２７ｂに配置される配置部３２８ａと、配置部３２８ａから筐体部３０２ａの第１フランジ部３２４ａに対向する位置に延びる突出部３２８ｂと、を備えている。配置部３２８ａは前記実施形態と同様な構成である。突出部３２８ｂは、第１傾斜面３２８ｃと、第３傾斜面３２９ｂと、平坦面３２９ｃとを有している。第１傾斜面３２８ｃは、前記実施形態と同様である。第３傾斜面３２９ｂ及び平坦面３２９ｃは戻し部２９に形成されたものと同様である。したがって、この実施形態では、突出部３２８ｂが前記実施形態の突出部２８ｂと戻し部２９とを一体形成したような形状である。この場合には、別体の戻し部材３２８に移動部材５１が接触する接触面を設けたので、配置部での応力集中を防いで種々の勾配の傾斜面を用意できる。なお、この実施形態では、突出部３２８ｂに第１傾斜面３２８ｃに加えて、第３傾斜面３２９ｂや平坦面３２９ｃを形成したが、突出部３２８ｂに必須の傾斜面は、第１傾斜面３２８ｃであり、突出部３２８ｂに第３傾斜面３２９ｂや平坦面３２９ｃを形成しなくてもよい。
【図面の簡単な説明】
【００７８】
【図１】本発明の一実施形態によるスピニングリールの側面図。
【図２】前記スピニングリールの側面断面図。
【図３】スピニングリールのリール本体の分解斜視図。
【図４】ベール反転機構を示すリール本体の正面部分図。
【図５】ベール反転機構を示すリール本体の底面部分図。
【図６】円筒部と戻し部材の斜視図。
【図７】ベール反転機構を示す第１ロータアームの断面部分図。
【図８】他の実施形態の図６に相当する図。
【図９】さらに他の実施形態の図６に相当する図。
【図１０】さらに他の実施形態の図４に相当する図。
【図１１】さらに他の実施形態の図５に相当する図。
【符号の説明】
【００７９】
２  リール本体
２ａ，３０２ａ  筐体部
２ｂ，３０２ｂ  蓋体部
２ｃ  竿取付脚部
３  ロータ
４  スプール
１７  ベールアーム
１８  ベール反転機構
２４ａ，２４ｂ、３２４ａ，３２４ｂ  第１及び第２フランジ部
２４ｃ  前面
２４ｄ  切欠き部
２６  機構収納空間
２７，１２７，２２７  円筒部
２７ａ，１２７ａ，２２７ａ  後面
２７ｂ，１２７ｂ，２２７ｂ  隙間
２８，１２８，２２８，３２８  戻し部材
２８ａ，１２８ａ，２２８ａ，３２８ａ  配置部
２８ｂ，３２８ｂ  突出部
２８ｃ，３２８ｃ  第１傾斜面
２８ｉ  第３傾斜面
２８ｇ，２８ｈ，１２８ｇ，１２８ｈ  突起部
２９  戻し部
２９ａ  第２傾斜面
【図１】
2008306988.tif 000003
【図２】
2008306988.tif 000004
【図３】
2008306988.tif 000005
【図４】
2008306988.tif 000006
【図５】
2008306988.tif 000007
【図６】
2008306988.tif 000008
【図７】
2008306988.tif 000009
【図８】
2008306988.tif 000010
【図９】
2008306988.tif 000011
【図１０】
2008306988.tif 000012
【図１１】
2008306988.tif 000013